(57)【要約】  再生可能なコンテンツに関連した情報を決定し、無線送受信器の識別情報に、決定された情報を挿入して、識別情報を外部に送信する情報提供方法を提供する。前記方法は、再生可能なコンテンツに関連した情報を決定するステップと、無線送受信器の識別情報に、前記決定された情報を挿入するステップと、コンテンツに関連した情報を挿入した後に、前記識別情報を外部に送信するステップとを含む。また、再生可能なコンテンツに関連した情報を決定するステップは、再生可能なコンテンツの再生時間情報によって、コンテンツに関連した情報を決定するステップを含んでもよい。
2014529391.tif 000002
【特許請求の範囲】
【請求項１】
再生可能なコンテンツに関連した情報を決定するステップと、
無線送受信器の識別情報に、前記決定された情報を挿入するステップと、
前記識別情報を外部に送信するステップと、を含むことを特徴とする情報提供方法。
【請求項２】
前記再生可能なコンテンツに関連した情報を決定するステップは、
再生可能なコンテンツの再生時間情報によって、前記コンテンツに関連した情報を決定するステップを含むことを特徴とする請求項１に記載の情報提供方法。
【請求項３】
前記再生可能なコンテンツに関連した情報を決定するステップは、
現在再生中であるコンテンツに関連した情報を決定するステップを含むことを特徴とする請求項１に記載の情報提供方法。
【請求項４】
前記再生可能なコンテンツに関連した情報を決定するステップは、
再生可能なコンテンツに関連した情報を、所定の基準によって優先順位を設定して決定するステップを含むことを特徴とする請求項１に記載の情報提供方法。
【請求項５】
前記所定の基準は、前記情報提供方法を提供する装置のユーザのユーザ選好度であることを特徴とする請求項４に記載の情報提供方法。
【請求項６】
外部から、前記再生可能なコンテンツに関連した情報を受信するステップをさらに含むことを特徴とする請求項１に記載の情報提供方法。
【請求項７】
放送プログラム情報を受信するステップと、
前記放送プログラム情報から、前記再生可能なコンテンツに関連した情報を抽出するステップと、をさらに含むことを特徴とする請求項１に記載の情報提供方法。
【請求項８】
前記再生可能なコンテンツに関連した情報は、前記放送プログラム情報によるコンテンツを、放送時間基準によって分類したタグであることを特徴とする請求項７に記載の情報提供方法。
【請求項９】
前記無線送受信器は、アクセスポイント（ＡＰ）であり、前記識別情報は、ＳＳＩＤ(Service Set IDentifier)であることを特徴とする請求項１に記載の情報提供方法。
【請求項１０】
再生可能なコンテンツに関連した情報を決定するステップと、
前記決定された情報を、連結された外部の無線送受信器に送信するステップと、
前記送信した情報を、前記外部の無線送受信器の識別情報に挿入するステップと、を含むことを特徴とする情報提供方法。
【請求項１１】
前記無線送受信器は、アクセスポイント（ＡＰ）であり、前記識別情報は、ＳＳＩＤ(Service Set IDentifier)であることを特徴とする請求項１０に記載の情報提供方法。
【請求項１２】
外部機器で再生可能なコンテンツに関連した情報が挿入された無線送受信器の識別情報を、外部から受信するステップと、
前記識別情報から、前記コンテンツに関連した情報を抽出してディスプレイするステップと、を含むことを特徴とする情報提供方法。
【請求項１３】
前記識別情報から、前記コンテンツに関連した情報を抽出してディスプレイするステップは、
前記識別情報から、前記コンテンツに関連した情報を抽出するステップと、
前記抽出されたコンテンツに関連した情報を、連結可能な外部のコンテンツとマッピングするステップと、
前記マッピングされた外部のコンテンツを、所定のネットワークを通じて外部に要請するステップと、
前記マッピングされた外部のコンテンツを受信してディスプレイするステップと、を含むことを特徴とする請求項１２に記載の情報提供方法。
【請求項１４】
前記識別情報から、前記コンテンツに関連した情報を抽出してディスプレイするステップは、
前記識別情報から、前記コンテンツに関連した情報を抽出するステップと、
前記抽出されたコンテンツに関連した情報が複数である場合、前記複数のコンテンツに関連した情報を、所定の基準によって優先順位を設定してディスプレイするステップと、を含むことを特徴とする請求項１２に記載の情報提供方法。
【請求項１５】
前記所定の基準は、前記情報提供方法を提供する装置のユーザのユーザ選好度であることを特徴とする請求項１４に記載の情報提供方法。
【請求項１６】
無線送受信器と、
再生可能なコンテンツに関連した情報を決定して、前記無線送受信器の識別情報に、前記決定された情報を挿入する制御部と、
前記識別情報を外部に送信する通信部と、を備えることを特徴とする情報提供装置。
【請求項１７】
前記制御部は、再生可能なコンテンツの再生時間情報によって、前記コンテンツに関連した情報を決定することを特徴とする請求項１６に記載の情報提供装置。
【請求項１８】
前記制御部は、現在再生中であるコンテンツに関連した情報を決定することを特徴とする請求項１６に記載の情報提供装置。
【請求項１９】
前記制御部は、再生可能なコンテンツに関連した情報を、所定の基準によって優先順位を設定して決定することを特徴とする請求項１６に記載の情報提供装置。
【請求項２０】
前記所定の基準は、前記情報提供装置のユーザのユーザ選好度であることを特徴とする請求項１６に記載の情報提供装置。
【請求項２１】
前記通信部は、外部から、前記再生可能なコンテンツに関連した情報を受信することを特徴とする請求項１６に記載の情報提供装置。
【請求項２２】
前記通信部は、放送プログラム情報を受信し、前記制御部は、前記放送プログラム情報から、前記再生可能なコンテンツに関連した情報を抽出することを特徴とする請求項１６に記載の情報提供装置。
【請求項２３】
前記再生可能なコンテンツに関連した情報は、前記放送プログラム情報によるコンテンツを、放送時間基準によって分類したタグであることを特徴とする請求項２２に記載の情報提供装置。
【請求項２４】
前記無線送受信器は、アクセスポイント（ＡＰ）であり、前記識別情報は、ＳＳＩＤ(Service Set IDentifier)であることを特徴とする請求項１６に記載の情報提供装置。
【請求項２５】
再生可能なコンテンツに関連した情報を決定する制御部と、
識別情報に、前記決定された情報を挿入する無線送受信器と、
前記識別情報を外部に送信する通信部と、を備えることを特徴とする情報提供装置。
【請求項２６】
前記無線送受信器は、アクセスポイント（ＡＰ）であり、前記識別情報は、ＳＳＩＤ(Service Set IDentifier)であることを特徴とする請求項２５に記載の情報提供装置。
【請求項２７】
外部機器で再生可能なコンテンツに関連した情報が挿入された無線送受信器の識別情報を受信する通信部と、
前記識別情報から、前記コンテンツに関連した情報を抽出する制御部と、
前記抽出されたコンテンツに関連した情報をディスプレイするディスプレイ部と、を備えることを特徴とする情報提供装置。
【請求項２８】
前記制御部は、前記識別情報から、前記コンテンツに関連した情報を抽出し、前記抽出されたコンテンツに関連した情報を、連結可能な外部のコンテンツとマッピングし、
前記通信部は、前記マッピングされた外部のコンテンツを、所定のネットワークを通じて外部に要請し、外部から、前記マッピングされた外部のコンテンツを受信し、
前記ディスプレイ部は、前記受信した外部のコンテンツをディスプレイすることを特徴とする請求項２７に記載の情報提供装置。
【請求項２９】
前記制御部は、前記抽出されたコンテンツに関連した情報が複数である場合、前記複数のコンテンツに関連した情報を、所定の基準によって優先順位を設定し、
前記ディスプレイ部は、前記優先順位が設定された少なくとも一つのコンテンツに関連した情報をディスプレイすることを特徴とする請求項２７に記載の情報提供装置。
【請求項３０】
前記所定の基準は、前記情報提供装置のユーザのユーザ選好度であることを特徴とする請求項２９に記載の情報提供装置。
【請求項３１】
情報提供方法を具現するためのプログラムを記録したコンピュータで読み取り可能な記録媒体において、
再生可能なコンテンツに関連した情報を決定するステップと、
無線送受信器の識別情報に、前記決定された情報を挿入するステップと、
前記識別情報を外部に送信するステップと、を含むことを特徴とする情報提供方法を具現するためのプログラムを記録したコンピュータで読み取り可能な記録媒体。
【請求項３２】
情報提供方法を具現するためのプログラムを記録したコンピュータで読み取り可能な記録媒体において、
再生可能なコンテンツに関連した情報を決定するステップと、
前記決定された情報を、連結された外部の無線送受信器に送信するステップと、
前記送信した情報を、前記外部の無線送受信器の識別情報に挿入するステップと、を含むことを特徴とする情報提供方法を具現するためのプログラムを記録したコンピュータで読み取り可能な記録媒体。
【請求項３３】
情報提供方法を具現するためのプログラムを記録したコンピュータで読み取り可能な記録媒体において、
外部機器で再生可能なコンテンツに関連した情報が挿入された無線送受信器の識別情報を、外部から受信するステップと、
前記識別情報から、前記コンテンツに関連した情報を抽出してディスプレイするステップと、を含むことを特徴とする情報提供方法を具現するためのプログラムを記録したコンピュータで読み取り可能な記録媒体。
【発明の詳細な説明】
【技術分野】
【０００１】
本発明は、情報提供方法及びその装置に係り、より詳しくは、コンテンツに関連した情報を、無線送受信器の識別情報に挿入して、情報を提供する方法及びその装置に関する。
【背景技術】
【０００２】
テレビジョンやＬＦＤ(Large Format Display)などのディスプレイ装置に表示されるコンテンツ、例えば、広告に係る詳細な情報が必要である時、ユーザは、コンピュータまたは携帯インターネット端末で別途検索を行って、必要な情報を獲得しているのが実情である。
【発明の概要】
【発明が解決しようとする課題】
【０００３】
本発明が解決しようとする課題は、ディスプレイ装置に表示されるコンテンツの詳細情報などを直接入力する必要なく、端末で直ぐに確認できるように情報を提供する方法及びその装置を提供することにある。
【課題を解決するための手段】
【０００４】
前記課題を解決するための本発明の一実施形態によって、情報提供方法は、再生可能なコンテンツに関連した情報を決定するステップと、無線送受信器の識別情報に、前記決定された情報を挿入するステップと、前記識別情報を外部に送信するステップと、を含む。
【０００５】
前記再生可能なコンテンツに関連した情報を決定するステップは、再生可能なコンテンツの再生時間情報によって、前記コンテンツに関連した情報を決定するステップを含んでもよい。
【０００６】
前記再生可能なコンテンツに関連した情報を決定するステップは、現在再生中であるコンテンツに関連した情報を決定するステップを含んでもよい。
【０００７】
前記再生可能なコンテンツに関連した情報を決定するステップは、再生可能なコンテンツに関連した情報を、所定の基準によって優先順位を設定して決定するステップを含んでもよい。
【０００８】
前記所定の基準は、前記情報提供方法を提供する装置のユーザのユーザ選好度であってもよい。
【０００９】
情報提供方法は、外部から、前記再生可能なコンテンツに関連した情報を受信するステップをさらに含んでもよい。
【００１０】
情報提供方法は、放送プログラム情報を受信するステップと、前記放送プログラム情報から、前記再生可能なコンテンツに関連した情報を抽出するステップと、をさらに含んでもよい。
【００１１】
前記再生可能なコンテンツに関連した情報は、前記放送プログラム情報によるコンテンツを、放送時間基準によって分類したタグであってもよい。
【００１２】
前記無線送受信器は、アクセスポイント（ＡＰ）であり、前記識別情報は、ＳＳＩＤ(Service Set Identifier)であってもよい。
【００１３】
前記課題を解決するための本発明の他の実施形態によって、情報提供方法は、再生可能なコンテンツに関連した情報を決定するステップと、前記決定された情報を、連結された外部の無線送受信器に送信するステップと、前記送信された情報を、前記外部の無線送受信器の識別情報に挿入するステップと、を含む。
【００１４】
前記課題を解決するための本発明のさらに他の実施形態によって、無線送受信器における情報提供方法は、外部から、コンテンツに関連した情報を受信するステップと、前記コンテンツに関連した情報を、識別情報に挿入するステップと、前記識別情報を外部に送信するステップと、を含む。
【００１５】
前記課題を解決するための本発明のさらに他の実施形態によって、情報提供方法は、外部機器で再生可能なコンテンツに関連した情報が挿入された無線送受信器の識別情報を、外部から受信するステップと、前記識別情報から、前記コンテンツに関連した情報を抽出してディスプレイするステップと、を含む。
【００１６】
前記識別情報から、前記コンテンツに関連した情報を抽出してディスプレイするステップは、前記識別情報から、前記コンテンツに関連した情報を抽出するステップと、前記抽出されたコンテンツに関連した情報を、連結可能な外部のコンテンツとマッピングするステップと、前記マッピングされた外部のコンテンツを、所定のネットワークを通じて外部に要請するステップと、前記マッピングされた外部のコンテンツを受信してディスプレイするステップと、を含んでもよい。
【００１７】
前記識別情報から、前記コンテンツに関連した情報を抽出してディスプレイするステップは、前記識別情報から、前記コンテンツに関連した情報を抽出するステップと、前記抽出されたコンテンツに関連した情報が複数である場合、前記複数のコンテンツに関連した情報を、所定の基準によって優先順位を設定してディスプレイするステップと、を含んでもよい。
【００１８】
前記所定の基準は、前記情報提供方法を提供する装置のユーザのユーザ選好度であってもよい。
【００１９】
前記課題を解決するための本発明のさらに他の実施形態によって、情報提供装置は、無線送受信器と、再生可能なコンテンツに関連した情報を決定して、無線送受信器の識別情報に、前記決定された情報を挿入する制御部と、前記識別情報を外部に送信する通信部と、を備える。
【００２０】
前記課題を解決するための本発明のさらに他の実施形態によって、情報提供装置は、再生可能なコンテンツに関連した情報を決定する制御部と、識別情報に、前記決定された情報を挿入する無線送受信器と、前記識別情報を外部に送信する通信部と、を備える。
【００２１】
前記課題を解決するための本発明のさらに他の実施形態によって、情報提供装置は、再生可能なコンテンツに関連した情報を決定する制御部と、前記決定された情報を、連結された外部の無線送受信器に送信する通信部と、を備え、前記制御部は、前記送信された情報を、前記外部の無線送受信器の識別情報に挿入する。
【００２２】
前記課題を解決するための本発明のさらに他の実施形態によって、無線送受信器は、外部からコンテンツに関連した情報を受信する場合、前記コンテンツに関連した情報を、識別情報に挿入する制御部と、前記コンテンツに関連した情報を受信し、前記識別情報を外部に送信する通信部と、を備える。
【００２３】
前記課題を解決するための本発明のさらに他の実施形態によって、情報提供装置は、外部機器で再生可能なコンテンツに関連した情報が挿入された無線送受信器の識別情報を受信する通信部と、前記識別情報から、前記コンテンツに関連した情報を抽出する制御部と、前記抽出されたコンテンツに関連した情報をディスプレイするディスプレイ部と、を備える。
【図面の簡単な説明】
【００２４】
【図１】本発明の一実施形態による位置に基づいたサービス提供システムを概略的に示す図面である。
【図２】本発明の一実施形態による情報提供方法を示すフローチャートである。
【図３Ａ】ＳＳＩＤに挿入されるタグ情報の構造の例を示す図面である。
【図３Ｂ】ＳＳＩＤに挿入されるタグ情報の構造の例を示す図面である。
【図４】本発明の一実施形態による電子番組ガイド（ＥＰＧ）の例示を示す図面である。
【図５Ａ】本発明の一実施形態によるコンテンツに関連した情報を決定する一例を示す図面である。
【図５Ｂ】本発明の一実施形態によるコンテンツに関連した情報を決定する一例を示す図面である。
【図６】ＳＳＩＤ以外の識別情報に、タグ情報を挿入する例を示す図面である。
【図７】本発明の一実施形態による情報提供方法のシナリオを示す図面である。
【図８】本発明の他の実施形態による情報提供方法を示すフローチャートである。
【図９】本発明の他の実施形態による情報提供装置の外部に存在する無線送受信器における情報提供方法を示すフローチャートである。
【図１０】本発明のさらに他の実施形態による情報提供方法のシナリオを示す図面である。
【図１１】本発明のさらに他の実施形態による情報提供方法を示すフローチャートである。
【図１２】本発明の一実施形態による情報提供装置を示すブロック図である。
【図１３】本発明の他の実施形態による情報提供装置を示すブロック図である。
【発明を実施するための形態】
【００２５】
添付した図面を参照して、本発明の望ましい実施形態を詳細に説明する。
【００２６】
図１は、本発明の一実施形態による位置に基づいたサービス提供システムを概略的に示す図面である。
【００２７】
位置に基づいたサービス提供システムは、端末側１１０と、サーバー側１２０とを含む。端末側１１０は、ポジショニングモジュール１１１と、モバイル通信モジュール１１２とを含み、サーバー側１２０は、プラットホーム１２１と、アプリケーション１２２とを含む。
【００２８】
ポジショニングモジュール１１１は、端末側１１０の位置確認を行うモジュールであって、セルＩＤ測位や、改善されたセルＩＤ測位や、ＡｏＡ(Angle of Arrival)、ＴｏＡ(Time of Arrival)、ＴＤｏＡ(Time Difference of Arrival)のような三角測量や、ＧＰＳ(Global Positioning System)、ＡＧＰＳ(Assisted GPS)、ＤＧＰＳ(Differential Global Positioning System)、ＷＩＦＩ(Wireless Fidelity)などの技術を利用するモジュールである。本発明の実施形態において、それらは一例であるのみであり、それらに限定されるものではない。
【００２９】
モバイル通信モジュール１１２は、端末側１１０とサーバー側１２０の通信を行うモジュールであって、モバイル通信に関連した技術は、ＣＤＭＡ(Code Division Multiple Access)、ＧＳＭ（登録商標）(Global System for Mobile communications)、ＴＤＭＡ(Time Division Multiple Access)、ＰＣＳ(Personal Communication Service)技術などがあり、近距離通信に関連した技術は、ＷＩＦＩ、ブルートゥース（登録商標）技術などがある。本発明の実施形態において、それらは一例であるのみであり、それらに限定されるものではない。
【００３０】
プラットホーム１２１は、サーバーアーキテクチャー、保存、インデックシング、オープンＡＰＩ(Application Programming Interface)、セキュリティなどの技術を含む。サーバーアーキテクチャー技術は、位置獲得サーバーから位置を獲得し、端末側（クライアント）の位置情報要請に応答して、位置情報の管理、個人または集団の位置情報処理、移動経路追跡などの位置に基づいた機能に該当する位置中心の処理技術を意味する。保存技術は、大容量の情報を保存して管理する技術を意味する。インデックシング技術は、位置情報自体、またはそれと関連した情報を、最適化された形態に組職化し、それについての検索が容易であるように構成する技術を意味する。オープンＡＰＩ技術は、他の事業者との位置情報及び関連情報の提供と関連した技術を意味する。セキュリティ技術は、ユーザプロファイル管理、認証、セキュリティなどの多様なユーザの接近統制技術を意味する。本発明の実施形態において、それらは一例であるのみであり、それらに限定されるものではない。
【００３１】
アプリケーション１２２は、位置に基づいたサービスを最終的に端末側１１０に提供するアプリケーションを意味するものであって、その例としては、地図、ナビゲーション、情報、商取引、ヘルスケア、追跡、広告、エンターテインメント、安全及び健康のようなアプリケーションがある。本発明の実施形態において、それらは一例であるのみであり、それらに限定されるものではない。本発明の一実施形態は、商取引アプリケーションと関連している。
【００３２】
図２は、本発明の一実施形態による情報提供方法を示すフローチャートである。
【００３３】
図２を参照すれば、ステップ２１０において、情報提供装置は、再生可能なコンテンツに関連した情報を決定する。コンテンツに関連した情報とは、コンテンツの内容に関連した情報であって、コンテンツとは別個の情報を意味する。例えば、コンテンツに関連した情報は、再生中であるコンテンツで、登場人物についての情報である。本発明の一実施形態においては、コンテンツに関連した情報は、タグ情報として具現され、タグ情報は、文字列またはバイトコードで構成される。タグ情報についての構造の説明は、後述する。
【００３４】
情報提供装置は、再生可能なコンテンツの再生時間情報によって、コンテンツに関連した情報を決定する。情報提供装置は、コンテンツに関連した情報が、コンテンツの特定の再生時間（例えば、再生開始から３０分の経過時間）に関連したか否かを分析した後、関連した場合、それをコンテンツ再生時間に対応するコンテンツに関連した情報として決定し、コンテンツに関連した情報を、コンテンツとマッチングさせる。本発明の一実施形態では、再生可能なコンテンツは、現在再生中であるコンテンツであってもよい。本発明の一実施形態では、コンテンツに関連した情報が複数である場合、情報提供装置のユーザの選好度によって優先順位を設定して、コンテンツに関連した情報を決定することも可能である。
【００３５】
図４は、本発明の一実施形態による電子番組ガイド(Electronic Program Guide: EPG)の例示を示す図面である。図４を参照すれば、ＥＰＧ  ４００には、それぞれのチャネル別の放送時間による放送プログラムが示されている。
【００３６】
図５Ａ及び図５Ｂは、本発明の一実施形態によるコンテンツに関連した情報を決定する一例を示す図面である。
【００３７】
図５Ａを参照すれば、時間５３０によって再生されるコンテンツ５１０が示されており、それぞれのコンテンツの再生時間によって分類されたコンテンツに関連した情報であるタグ情報５２０が示されている。情報提供装置は、現在の時間５３１に対応するコンテンツＢ  ５１２に関連したタグ２情報５２２を決定する。図５Ｂを参照すれば、現在の時間５３１に対応するコンテンツＢ  ５１２に関連したタグ情報は、タグ２情報５２２及びタグ２′情報５２２′が示されているが、情報提供装置は、両方の情報を決定してもよく、ユーザの選好度などに基づいて一つ、または優先順位を設定して両方の情報を選択的に決定してもよい。
【００３８】
コンテンツに関連した情報は、外部サーバーから受信されてもよく、情報提供装置自体で生成されてもよい。情報提供装置がコンテンツに関連した情報を生成する一実施形態として、情報提供装置は、外部サーバーから、放送プログラムに係るＥＰＧ情報を受信する。ＥＰＧ情報は、それぞれのプログラムの内容に関連したコンテンツを、放送時間基準によって分類した情報を含む。まず、受信したＥＰＧ情報は、情報提供装置に保存される。その後、情報提供装置は、ＥＰＧ情報から、それぞれのプログラムの内容に関連したコンテンツを、放送時間基準によって分類した情報を抽出し、抽出された情報に基づいて、コンテンツに関連した情報を生成する。
【００３９】
ステップ２２０において、情報提供装置は、無線送受信器の識別情報に、決定された情報を挿入する。図２では、無線送受信器は、情報提供装置に含まれる。情報提供装置自体で、無線送受信器の識別情報に、決定された情報を挿入してもよく、無線送受信器が、識別情報に、決定された情報を挿入してもよい。本発明の一実施形態において、無線送受信器は、アクセスポイント(Access Point: AP)であってもよい。また、識別情報は、ＳＳＩＤ(Service Set Identifier)であってもよい。無線送受信器または識別情報は、前述した実施形態に制限されるものではない。
【００４０】
図３Ａ及び図３Ｂは、ＳＳＩＤに挿入されるタグ情報の構造の例を示す図面である。
【００４１】
図３Ａを参照すれば、ＳＳＩＤは、最大３２バイトのアスキーコードで構成されるので、ＳＳＩＤに挿入されるタグ情報３００も、最大３２バイトのサイズに構成される。１バイトのサイズのＳｙｎｃ  ｂｙｔｅフィールド３１０は、ＡＰに関連した情報を含むフィールドであり、ｐａｙｌｏａｄ  ｔｙｐｅフィールド３２０は、ｐａｙｌｏａｄフィールド３３０の形態を表すフィールドであり、ｐａｙｌｏａｄフィールド３３０は、コンテンツに関連した情報を表すフィールドである。複数個のｐａｙｌｏａｄ  ｔｙｐｅが不要である場合には、Ｓｙｎｃ  ｂｙｔｅフィールド３１０とｐａｙｌｏａｄ  ｔｙｐｅフィールド３２０は省略してもよい。しかし、Ｓｙｎｃ  ｂｙｔｅフィールド３１０が存在する場合には、その次の１バイトがｐａｙｌｏａｄ  ｔｙｐｅフィールド３２０である。ｐａｙｌｏａｄ  ｔｙｐｅフィールド３２０によって、端末側ではそれぞれ異なる処理が可能である。
【００４２】
図３Ｂを参照すれば、複数個のタグ情報が存在する場合を示すものであって、ｐａｙｌｏａｄフィールド３３０に、複数個の下位のｐａｙｌｏａｄフィールド３３１，３３２などが存在し、ｐａｙｌｏａｄフィールド３３１，３３２などには、ｐａｙｌｏａｄ  ｔｙｐｅフィールド３３１ａ、ｐａｙｌｏａｄ  ｌｅｎｇｔｈフィールド３３１ｂ、及びｐａｙｌｏａｄフィールド３３１ｃを含む。複数個の下位のｐａｙｌｏａｄフィールドのうち一つは、残りの複数個の下位のｐａｙｌｏａｄフィールドについての説明を含むか、または複数個の下位のｐａｙｌｏａｄフィールドそれぞれが、ユーザに表示されるタイトル属性などを有する。図３Ａ及び図３Ｂに示したタグ情報の構造は一例であるのみ、それに制限されるものではなく、多様な実施形態が存在する。
【００４３】
図６は、ＳＳＩＤ以外の識別情報に、タグ情報を挿入する例を示す図面である。
【００４４】
図６を参照すれば、ＩＥＥＥ(Institute of Electrical and Electronics Engineers)８０２．１１ｕのＡＮＱＰ(Access Network Query Protocol)フィールド６００のうち、Ｖｅｎｕｅ  Ｉｎｆｏフィールド６１０などを活用してタグ情報を挿入して、端末にタグ情報を伝達することも可能である。
【００４５】
ステップ２３０において、情報提供装置は、識別情報を外部機器に送信する。
【００４６】
図７は、本発明の一実施形態による情報提供方法のシナリオを示す図面である。
【００４７】
図７を参照すれば、サーバー７１０は、情報提供装置と、無線送受信器とが内蔵されたディスプレイ（例えば、デジタルテレビジョン）７２０に、ＥＰＧ情報及び／またはそれぞれのプログラムの内容に関連したコンテンツを、放送時間基準によって分類したタグ情報を送信する。ディスプレイ７２０がＥＰＧ情報のみを受信した場合には、ＥＰＧ情報から、タグ情報を抽出する。ディスプレイ７２０は、受信したタグ情報を、無線送受信器の識別情報に挿入し、それをユーザ端末７３０に送信する。ユーザ端末７３０は、識別情報から、タグ情報を抽出し、タグ情報をディスプレイするか、またはタグ情報に基づいた情報をネットワーク７４０に要請し、ネットワーク７４０から、要請した情報７４０を受信する。ユーザ端末での詳細な動作は後述する。
【００４８】
図８は、本発明の他の実施形態による情報提供方法を示すフローチャートである。
【００４９】
図８は、図２と異なり、無線送受信器が情報提供装置の外部に存在する場合の情報提供方法に係るものである。図８において、無線送受信器及びコンテンツに関連した情報の例は、図２と同一である。図８を参照すれば、ステップ８１０は、図２のステップ２１０と同一であるので、重複した説明は省略する。
【００５０】
ステップ８２０において、情報提供装置は、決定された情報を、連結された外部の無線送受信器に送信する。
【００５１】
ステップ８３０において、情報提供装置は、送信された情報を、無線送受信器の識別情報に挿入する。その後、無線送受信器は、情報が挿入された識別情報を、外部に送信する。
【００５２】
図９は、本発明の他の実施形態による情報提供装置の外部に存在する無線送受信器における情報提供方法を示すフローチャートである。
【００５３】
図９において、無線送受信器及びコンテンツに関連した情報の例は、図２と同一である。図９を参照すれば、ステップ９１０において、無線送受信器は、外部から、すなわち、情報提供装置から、コンテンツに関連した情報、すなわち、タグ情報を受信する。
【００５４】
ステップ９２０において、無線送受信器は、受信したタグ情報を、無線送受信器の識別情報に挿入する。
【００５５】
ステップ９３０において、無線送受信器は、情報が挿入された識別情報を、外部に送信する。
【００５６】
図１０は、本発明の他の実施形態による情報提供方法のシナリオを示す図面である。
【００５７】
図１０を参照すれば、サーバー１０１０は、情報提供装置が内蔵されたディスプレイ（例えば、デジタルテレビジョン）１０２０に、ＥＰＧ情報及び／またはそれぞれのプログラムの内容に関連したコンテンツを、放送時間基準によって分類したタグ情報を送信する。ディスプレイ１０２０がＥＰＧ情報のみを受信した場合には、ＥＰＧ情報から、タグ情報を抽出する。ディスプレイ１０２０は、受信したタグ情報を、外部の無線送受信器１０３０に送信する。ディスプレイ１０２０は、タグ情報を、無線送受信器１０３０の識別情報に挿入し、それをユーザ端末１０４０に送信する。また、他の実施形態として、無線送受信１０３０自体が受信したタグ情報を、識別情報に挿入し、ユーザ端末１０４０に識別情報を送信することも可能である。ユーザ端末１０４０は、識別情報から、タグ情報を抽出し、タグ情報をディスプレイする。また、ユーザ端末１０４０は、タグ情報に基づいた情報を、ネットワーク１０５０に要請し、ネットワーク１０５０から、要請した情報を受信する。ユーザ端末１０４０での詳細な動作は後述する。
【００５８】
図１１は、本発明のさらに他の実施形態による情報提供方法を示すフローチャートである。
【００５９】
図１１を参照すれば、ステップ１１１０において、情報提供装置は、外部機器で再生可能なコンテンツに関連した情報が挿入された無線送受信器の識別情報を、外部から受信する。図１１における情報提供装置は、図２における情報提供装置と同一なものではなく、図２におけるユーザ端末に該当する。コンテンツに関連した情報、無線送受信器及び無線送受信器の識別情報は、図２において説明したところと同一である。
【００６０】
ステップ１１２０において、情報提供装置は、識別情報から、コンテンツに関連した情報を抽出してディスプレイする。また、情報提供装置は、抽出したコンテンツに関連した情報によって、所定のネットワークに、コンテンツに関連した情報に係る情報を要請し、それを受信してディスプレイすることも可能である。または、情報提供装置は、コンテンツに関連した情報を、インターネット上のアドレスとマッピングし、インターネット上のアドレスに基づいて、インターネットを通じて関連した情報を受信してディスプレイする。情報提供装置は、コンテンツに関連した情報が複数である場合には、所定の基準、例えば、ユーザの選好度によって優先順位を設定してディスプレイすることも可能である。
【００６１】
図１２は、本発明の一実施形態による情報提供装置を示すブロック図である。
【００６２】
図１２を参照すれば、情報提供装置１２１０は、通信部１２１２、無線送受信部１２１４、制御部１２１６及び保存部１２１８を備え、ユーザ装置１２２０は、通信部１２２２、制御部１２２４及び保存部１２２６を備える。情報提供装置１２１０は、外部サーバー１  １２３０と連結されており、ユーザ装置１２２０は、外部サーバー２  １２４０と連結されている。
【００６３】
情報提供装置１２１０の制御部１２１６は、情報提供装置１２１０が含まれた機器で再生可能なコンテンツに関連した情報を決定する。コンテンツに関連した情報とは、コンテンツの内容に関連したコンテンツとの別個の情報を意味する。例えば、コンテンツに関連した情報は、再生中であるコンテンツで、登場人物についての情報である。本発明の一実施形態においては、コンテンツに関連した情報は、タグ情報として具現され、タグ情報は、文字列またはバイトコードで構成される。タグ情報についての構造は、図３に示されている。情報提供装置１２１０の制御部１２１６は、再生可能なコンテンツの再生時間情報によって、コンテンツに関連した情報を決定する。情報提供装置１２１０の制御部１２１６は、コンテンツに関連した情報が、コンテンツの特定の再生時間（例えば、再生後に３０分経過時点）に関連しているか否かを分析した後、関連している場合、それをコンテンツ再生時間に対応するコンテンツに関連した情報として決定し、コンテンツに関連した情報を、コンテンツとマッチングさせる。本発明の一実施形態では、再生可能なコンテンツは、現在再生中であるコンテンツであってもよい。本発明の一実施形態では、コンテンツに関連した情報が複数である場合、情報提供装置１２１０の制御部１２１６は、情報提供装置１２１０のユーザの選好度によって優先順位を設定して、コンテンツに関連した情報を決定することも可能である。
【００６４】
コンテンツに関連した情報は、外部サーバー１  １２３０から受信してもよく、情報提供装置１２１０自体で生成されてもよい。情報提供装置１２１０の制御部１２１６がコンテンツに関連した情報を生成する一実施形態として、情報提供装置１２１０の通信部１２１２は、外部サーバー１  １２３０から、放送プログラムに係るＥＰＧ情報を受信する。ＥＰＧ情報は、それぞれのプログラムの内容と関連したコンテンツを、放送時間基準によって分類した情報を含む。まず、情報提供装置１２１０の制御部１２１６は、受信したＥＰＧ情報を、情報提供装置１２１０の保存部１２１８に保存する。その後、情報提供装置１２１０の制御部１２１６は、ＥＰＧ情報から、それぞれのプログラムの内容と関連したコンテンツを、放送時間基準によって分類した情報を抽出し、抽出された情報に基づいて、コンテンツに関連した情報を生成する。
【００６５】
情報提供装置１２１０の制御部１２１６は、無線送受信部１２１４の識別情報に、決定された情報を挿入する。他の実施形態として、無線送受信部１２１４自体に、制御部（図示せず）が存在する場合、無線送受信部１２１４自体が、識別情報に、決定された情報を挿入することも可能である。本発明の一実施形態において、無線送受信部１２１４は、ＡＰであってもよい。また、識別情報は、ＳＳＩＤであってもよい。無線送受信部または識別情報は、前述した実施形態に制限されるものではない。その後、情報提供装置１２１０の通信部１２１８は、識別情報をユーザ装置１２２０に送信する。
【００６６】
ユーザ装置１２２０の通信部１２２２は、情報提供装置１２１０から、再生可能なコンテンツに関連した情報が挿入された無線送受信部の識別情報を受信する。ユーザ装置１２２０の制御部１２２４は、識別情報から、コンテンツに関連した情報を抽出して、ディスプレイ部（図示せず）にディスプレイする。また、ユーザ装置１２２０の制御部１２２４は、抽出したコンテンツに関連した情報によって、外部サーバー２  １２４０に、コンテンツに関連した情報に係る情報を要請し、それを受信してディスプレイすることも可能である。または、ユーザ装置１２２０の制御部１２２４は、コンテンツに関連した情報を、インターネット上のアドレスとマッピングし、ユーザ装置１２２０の通信部１２２２は、インターネット上のアドレスに基づいて、インターネットを通じて外部サーバー２  １２４０から関連した情報を受信してディスプレイする。ユーザ装置１２２０の制御部１２２４は、コンテンツに関連した情報が複数である場合には、所定の基準、例えば、ユーザの選好度によって優先順位を設定してディスプレイすることも可能である。
【００６７】
図１３は、本発明の他の実施形態による情報提供装置を示すブロック図である。
【００６８】
図１３を参照すれば、情報提供装置１３１０は、通信部１３１２、制御部１３１４及び保存部１３１６を備え、外部の無線送受信器１３２０と連結されている。ユーザ装置１３３０、外部サーバー１  １３４０及び外部サーバー２  １３５０は、図１２におけるユーザ装置１２２０、外部サーバー１  １２３０及び外部サーバー２  １２４０と同一な機能を行うので、重複した説明は省略する。図１２とは異なり、図１３の情報提供装置１３１０は、無線送受信部を備えず、無線送受信器１３２０は、外部に存在する。図１３において、無線送受信器及びコンテンツに関連した情報の例は、図１２における無線送受信部及びコンテンツに関連した情報の例と同一である。
【００６９】
情報提供装置１３１０の制御部１３１４は、情報提供装置１３１０が含まれた機器で再生可能なコンテンツに関連した情報を決定する。その後、情報提供装置１３１０の通信部１３１２は、コンテンツに関連した情報を、無線送受信器１３２０に送信する。情報提供装置１３１０の制御部１３１４は、無線送受信器１３２０の識別情報に、コンテンツに関連した情報を挿入する。本発明の他の実施形態として、無線送受信器１３２０が制御部（図示せず）を備えている場合には、無線送受信器１３２０自体が受信したコンテンツに関連した情報を識別情報に挿入することも可能である。その後、無線送受信器１３２０は、識別情報をユーザ装置１３３０に送信する。
【００７０】
前述したような情報提供方法は、また、コンピュータで読み取り可能な記録媒体に、コンピュータで読み取り可能なコードとして具現することが可能である。コンピュータで読み取り可能な記録媒体は、コンピュータシステムにより読み取られるデータが保存される全ての種類の記録装置を含む。コンピュータで読み取り可能な記録媒体の例としては、ＲＯＭ、ＲＡＭ、ＣＤ−ＲＯＭ、磁気テープ、フロッピー（登録商標）ディスク、光データ保存装置などがある。また、コンピュータで読み取り可能な記録媒体は、ネットワークに連結されたコンピュータシステムに分散され、分散方式によって、コンピュータで読み取り可能なコードに保存されて実行される。そして、前記ディスク管理方法を具現するための機能的なプログラム、コード及びコードセグメントは、本発明が属する技術分野のプログラマーにより容易に推論されるであろう。
【００７１】
以上、本発明について、その望ましい実施形態を中心に述べた。当業者は、本発明が、本発明の本質的な特性から逸脱しない範囲で、変形された形態で具現可能であるということを理解できるであろう。したがって、開示された実施形態は、限定的な観点ではなく、説明的な観点で考慮されなければならない。本発明の範囲は、前述した説明ではなく、特許請求の範囲に表れており、それと同等な範囲内にある全ての相違点は、本発明に含まれたものと解釈されなければならない。
【符号の説明】
【００７２】
１１０  端末
１１１  ポジショニングモジュール
１１２  モバイル通信モジュール
１２０  サーバ
１２１  プラットフォーム１２２  アプリケーション
【図３ａ】
2014529391.tif 000003
【図３ｂ】
2014529391.tif 000004
【図６】
2014529391.tif 000005
【図１】
2014529391.tif 000006
【図２】
2014529391.tif 000007
【図４】
2014529391.tif 000008
【図５Ａ】
2014529391.tif 000009
【図５Ｂ】
2014529391.tif 000010
【図７】
2014529391.tif 000011
【図８】
2014529391.tif 000012
【図９】
2014529391.tif 000013
【図１０】
2014529391.tif 000014
【図１１】
2014529391.tif 000015
【図１２】
2014529391.tif 000016
【図１３】
2014529391.tif 000017
【国際調査報告】
2014529391.tif 000018
2014529391.tif 000019